【手続補正書】
【提出日】平成15年9月26日(2003.9.26)
【手続補正１】
【補正対象書類名】明細書
【補正対象項目名】０００１
【補正方法】変更
【補正の内容】
【０００１】
本発明は，2001年8月8日に出願した米国特許出願第09/925,129号（米国特許第6,445,297号）（これは，2000年10月10に出願の米国仮出願第60/239,975号に基づく），2001年8月8日に出願した米国特許出願第09/925,228号（これは2000年8月11日に出願の米国仮出願第60/224,932号に基づく），および2001年8月8日に出願した米国特許出願第09/925,229号（米国特許第6,563,425号）（これは2000年8月11日に出願の米国仮出願第60/224,855号に基づく）の一部継続出願に係る（これら出願は，ここに参考文献として組み込まれる）。
【手続補正２】
【補正対象書類名】特許請求の範囲
【補正対象項目名】全文
【補正方法】変更
【補正の内容】
【特許請求の範囲】
【請求項１】
RFIDタグと通信する方法であって，
少なくとも第一のRF信号を前記RFIDタグに送信し，少なくとも第二のRF信号を前記RFIDタグから受信する複数のモジュールアンテナ部分を含む受動ループモジュールアンテナシステムを用意する工程と，
前記RFIDタグを，前記アンテナ場を通過するように移動させる工程と，
前記RFIDタグを，前記アンテナ場を通過するように移動させる間，前記モジュラーアンテナシステムから前記第一のRF信号を送信する工程と，
前記RFIDタグから前記第二のRF信号を受信する工程と
を含む，
前記アンテナ部分が，複数のアンテナシステムの構成を形成するために着脱自在に連結可能で，前記複数のアンテナシステムの構成の，少なくとも第一のものがアンテナ場を形成し，該アンテナ場が前記第一のRF信号の，実質的に全方向送信，および前記第二のRF信号の受信を行う，ところの方法。
【請求項２】
前記RFIDタグは製品コンテナに配置される，請求項１に記載の方法。
【請求項３】
構成手段を用意する工程を含み，
前記構成手段が，前記複数のアンテナシステムの構成の，少なくとも第一のものを設計する設計手段，前記第一のアンテナシステムの構成の前記設計の妥当性を検討する設計検討手段，および少なくともひとつの組立体図面および前記第一のアンテナ手段の構成のための制御パラメータを用意する構成手段を少なくとも含む，請求項２に記載の方法。
【請求項４】
少なくともひとつのRFIDタグと通信する方法であって，
磁束場を与えるRFIDリーダを用意する工程と，
少なくとも第一の製品コンテナに配置される，少なくともひとつのRFIDタグを用意する工程と，
少なくともひとつの受動中継器部を用意する工程と，
前記磁束場を用意する工程と，
前記製品コンテナを，前記磁束場を通るように移動させる工程と，
を含み，
前記受動中継器部が，少なくとも第一の，実質的に連続した受動ループを含み，
該第一の受動ループが，前記RFIDリーダと前記RFIDタグとを結合するために，前記RFIDリーダおよび前記RFIDタグに関連して配置可能であり，
前記受動中継器部が，前記磁束場を向け直すために，前記RFIDリーダおよび前記RFIDタグに関連して配置可能である，
ところの方法。
【請求項５】
前記受動中継器部が前記磁束場の範囲を拡張する，請求項４に記載の方法。
【請求項６】
前記中継器部が複数の製品コンテナ内に配置される，請求項４に記載の方法。
【請求項７】
前記中継器部が輸送手段の近傍に配置される，請求項４に記載の方法。
【請求項８】
前記RFIDタグが前記第一の製品コンテナに着脱自在に付着され，前記RFIDタグが前記第一の製品コンテナから外さら，少なくとも第二の製品コンテナに再度付着される，請求項４に記載の方法。
【請求項９】
第二の受動中継器部を用意する工程を含み，
前記第二の受動中継器部が第二の受動ループを含み，
該第二の受動ループが，前記RFIDリーダおよび前記RFIDタグとを結合するために，前記第一の受動ループ，前記RFIDリーダおよび前記RFIDタグに関連して配置可能である，請求項４に記載の方法。
【請求項１０】
第一および第二の受動ループが実質的に異なる平面にある，請求項９に記載の方法。
【請求項１１】
製品コンテナに配置された物品を追跡する方法であって，
複数のコンテナ表面を有する，少なくとも第一の製品コンテナを用意する工程と，
前記第一の製品コンテナの複数のコンテナ表面の，少なくとも第一の表面上に配置される，少なくともひとつのRFIDタグを有するRFIDタグ組立体を用意する工程と，
第一のアンテナ場を与えるために，少なくとも第一のRFIDアンテナシステムを用意する工程と，
前記製品コンテナを，前記第一のアンテナ場を通過するように移動させる工程と，
前記RFIDタグが前記アンテナ場を通過する間に，前記アンテナシステムから第一のRF信号を送信する工程と，
を含み，
前記第一の製品コンテナが，少なくとも第一の物品を中に含み，
前記RFIDタグ組立体が，第一および第二の表面を有する第一の基板，および該基板の少なくとも，前記第一の表面上に配置される，少なくとも第一の受動ループを含み，
該第一の受動ループが，少なくとも第一のRF信号を受信し，該第一のRF信号に応答して第二のRF信号を送信し，
前記基板および第一の受動ループが，前記RFIDタグの近傍で，前記第一のコンテナ表面に配置され，
前記第一の受動ループが前記RFIDタグに結合し，
前記第一のRFIDアンテナシステムが，少なくとも第一のRF信号を前記RFIDタグに送信し，少なくとも前記RFIDタグから前記第二のRF信号を受信する，
ところの方法。
【請求項１２】
前記タグ組立体が前記複数の第一の製品コンテナ表面の，少なくとも第二の表面上に配置される，少なくとも第二の受動ループを含み，該第二の受動ループが前記第一の受動ループと通信する，請求項１１に記載の方法。
【請求項１３】
前記アンテナシステムがモジュラーアンテナシステムからなる，請求項１１に記載の方法。
【請求項１４】
前記モジュラーアンテナシステムが前記第一のRF信号を送信し，前記第二のRF信号を受信するために，複数のモジュラーアンテナ部を含む，請求項１３に記載の方法。
【請求項１５】
前記アンテナシステムが少なくともひとつの受動中継器部を含む，請求項１１に記載の方法。
【請求項１６】
前記受動中継器部が少なくとも一つの，実質的に連続した受動ループを含み，前記受動中継器部の受動ループが前記第一および第二のRF信号を向き直す，請求項１５に記載の方法。
【請求項１７】
前記RFIDタグ組立体が，第一および第二の表面を有する第二の基板を含み，該第二の基板の第一の表面が前記複数の第一の製品コンテナ表面の前記第一の表面に取り付けられ，前記第二の基板の第二の表面が前記第一の基板の第二の表面に着脱自在に取り付けられ，前記RFIDタグが前記第一の製品コンテナから外され，少なくとも前記第一の物品に再度付着される，請求項１１に記載の方法。
【請求項１８】
前記第一の物品が製品からなる，請求項１７に記載の方法。
【請求項１９】
前記第一の物品が第二の製品コンテナからなる，請求項１７に記載の方法。
【請求項２０】
請求項１７に記載の方法であって，
a）第二のアンテナ場を与え，少なくとも第三のRF信号を送信し，第四のRF信号を受信する，第二のアンテナシステムを用意する工程と，
b）前記第一の製品コンテナから前記RFIDタグを外す工程と，
c）前記RFIDタグを前記第一の物品に再度付着する工程と，
d）前記第一の物品を，前記第二のアンテナ場を通過するように移動させる工程と，
e）前記第三のRF信号を前記RFIDタグに送信する工程と，
f）前記第四のRF信号を前記RFIDタグから受信する工程と，
を含む，ところの方法。